(57)【要約】【課題】他の物に不用意に当たって損壊しないようにタブレット型電子機器を外カバーにより保護する上、タブレット型電子機器から発せられた音をユーザへ向けるタブレット型電子機器の導音保護カバーを提供する。【解決手段】タブレット型電子機器の導音保護カバーは、保護板１０及び第１の導音部材３０を備える。保護板１０は、タブレット型電子機器２０を固定して覆うために用いる。第１の導音部材３０は、タブレット型電子機器２０の第１のスピーカー用出音孔２２の位置に対応するように保護板１０に配置され、第１のスピーカー用出音孔２２との間に第１の間隙が形成される。第１の導音部材３０とタブレット型電子機器２０の外フレームとの間に導音通路が形成され、導音通路の音出口がタブレット型電子機器２０の前方に向けられ、タブレット型電子機器２０からタブレット型電子機器２０のスクリーンに向けて音が発せられる。【選択図】図１
2013016163.tif 000002
【特許請求の範囲】
【請求項１】
保護板及び第１の導音部材を備えたタブレット型電子機器の導音保護カバーであって、
前記保護板は、タブレット型電子機器を固定して覆うために用い、
前記第１の導音部材は、前記タブレット型電子機器の第１のスピーカー用出音孔の位置に対応するように前記保護板に配置され、前記第１のスピーカー用出音孔との間に第１の間隙が形成され、
前記第１の導音部材と前記タブレット型電子機器の外フレームとの間に導音通路が形成され、前記導音通路の音出口が前記タブレット型電子機器の前方に向けられ、前記タブレット型電子機器から前記タブレット型電子機器のスクリーンに向けて音が発せられることを特徴とするタブレット型電子機器の導音保護カバー。
【請求項２】
前記保護板は、周縁部に立設された複数の係合装置を有し、
前記係合装置の頂端には、前記保護板の中央部に向かって僅かに曲げられたフック部が設けられ、
前記タブレット型電子機器は、前記保護板に配置され、
前記係合装置は、前記タブレット型電子機器の周縁部に係合されることを特徴とする請求項１に記載のタブレット型電子機器の導音保護カバー。
【請求項３】
前記第１の導音部材は、前記タブレット型電子機器の背面外カバーに設けられた前記第１のスピーカー用出音孔から発せられた音を前記タブレット型電子機器の前記スクリーンへ案内し、
前記第１の導音部材は、第１の反射板、第２の反射板及び側壁を有し、
前記第２の反射板は、前記第１のスピーカー用出音孔の位置に対応するように配置され、前記第２の反射板と前記第１のスピーカー用出音孔との間に間隙が形成され、前記第２の反射板により前記第１のスピーカー用出音孔から発せられた音を前記第１の反射板へ反射させ、前記第１の反射板により音をユーザへ反射させることを特徴とする請求項１に記載のタブレット型電子機器の導音保護カバー。
【請求項４】
前記第２の反射板は、前記保護板と一体成形され、
前記保護板は、第１の表面を有し、
前記第１の表面は、前記タブレット型電子機器の前記背面外カバーに対向し、
前記第１の表面には、前記第１のスピーカー用出音孔の位置に対応するように凹部が設けられ、前記凹部の底面により前記第２の反射板を構成し、
前記第１の反射板は、前記第２の反射板の縁部に立設され、前記タブレット型電子機器の側面外カバーに対して略平行であり、前記第１の反射板、前記第２の反射板及び前記側壁により、前記タブレット型電子機器の前記背面外カバーと前記側面外カバーとの間に前記導音通路が画成されることを特徴とする請求項３に記載のタブレット型電子機器の導音保護カバー。
【請求項５】
前記第２の反射板は、平坦なプレート状で前記保護板の第２の表面と同一面に形成され、
前記第２の表面は、前記第１の表面と表裏の関係で形成されることを特徴とする請求項４に記載のタブレット型電子機器の導音保護カバー。
【請求項６】
前記第２の反射板は、前記第２の表面から突出されて形成され、前記第２の反射板と前記第１のスピーカー用出音孔との間に形成される第２の間隙が大きいことを特徴とする請求項５に記載のタブレット型電子機器の導音保護カバー。
【請求項７】
前記第２の反射板は、断面が弧状のプレート部材であり、
前記弧状の開口方向は、前記第１のスピーカー用出音孔に向けられた方向であることを特徴とする請求項３に記載のタブレット型電子機器の導音保護カバー。
【請求項８】
前記第１の反射板と前記第２の反射板とが接続され、前記第１の反射板と前記第２の反射板とにより構成される断面形状が略放物線又は略楕円形を呈することを特徴とする請求項３に記載のタブレット型電子機器の導音保護カバー。
【請求項９】
前記保護板には、前記タブレット型電子機器の前記第１のスピーカー用出音孔の位置に対応するように切欠き部が設けられ、
前記切欠き部の互いに対向した２つの対向側壁には、それぞれ溝部が設けられ、
前記第１の導音部材は、第２の反射板を有し、
前記第２の反射板の互いに対応した両側にはリブが設けられ、前記リブは、前記溝部にちょうど滑り込ませることが可能であり、前記第１の導音部材は、前記保護板と自在に着脱可能であることを特徴とする請求項１に記載のタブレット型電子機器の導音保護カバー。
【発明の詳細な説明】
【技術分野】
【０００１】
本発明は、タブレット型電子機器の保護カバーに関し、特に、タブレット型電子機器の音をユーザへ案内する導音保護カバーに関する。
【背景技術】
【０００２】
電子産業及び情報産業の急速な発展により、３Ｃ（即ち、コンピュータ、家電、通信機器）の新製品が開発されるペースが次第に速くなる。現在、非常に人気のあるタブレット型コンピュータは、ノート型パソコンを代替し、現在最も人気のある３Ｃ製品のうちの１つとなっている。タブレット型コンピュータは、従来のノート型パソコン又はデスクトップ型パソコンと異なり、ユーザが両手又は片手で持って操作するため、不用意に落としたりぶつけたりして損壊させてしまうことがある。この問題に鑑み、落としたりぶつけたり引っ掻けたりして損壊させてしまうことを防ぐ保護機能を備えた様々なカバーが市販されている（例えば、特許文献１及び２）。
【０００３】
タブレット型電子機器の正面には、タッチパネルが設けられていることが一般的である。しかし、このようなタブレット型電子機器では、スピーカー出音孔をタブレット型電子機器の背面外カバーや側面外カバーにしか設けることができなかった。このようなタブレット型電子機器に適用する保護カバーが適宜設計されていない場合、タブレット型電子機器のスピーカー出音孔を塞ぎ、タブレット型電子機器から音を正常に出力することができなくなる虞がある。例えば、特許文献１及び特許文献３では、スピーカー出音孔を塞がないように設計されていない。一般にタブレット型電子機器の保護カバーには、タブレット型電子機器の音を正常に出力することができるように、これらスピーカー出音孔に対応した箇所に孔が予め設けられている（例えば、特許文献２）。一般に、タブレット型電子機器を操作したり映像を鑑賞したりする場合、スピーカー出音孔がユーザの方向に向けられていないため、音量が小さくなったり音が拡散したりすることがある。そのため、ユーザは、スピーカーの音量を大きくしなければ音をはっきりと聞くことができない上、タブレット型電子機器の音質に悪影響を及ぼして消費電力が増える虞がある。
【先行技術文献】
【特許文献】
【０００４】
【特許文献１】台湾実用新案登録第３９０６８９号公報
【特許文献２】台湾実用新案登録第３９６４２１号公報
【特許文献３】台湾実用新案登録第４０１３３５号公報
【発明の概要】
【発明が解決しようとする課題】
【０００５】
本発明の目的は、他の物に不用意に当たって損壊しないようにタブレット型電子機器を外カバーにより保護し、タブレット型電子機器の音をユーザへ向けて案内し得るタブレット型電子機器の導音保護カバーを提供することにある。
【課題を解決するための手段】
【０００６】
上記課題を解決するために、保護板及び第１の導音部材を備えたタブレット型電子機器の導音保護カバーであって、前記保護板は、タブレット型電子機器を固定して覆うために用い、前記第１の導音部材は、前記タブレット型電子機器の第１のスピーカー用出音孔の位置に対応するように前記保護板に配置され、前記第１のスピーカー用出音孔との間に第１の間隙が形成され、前記第１の導音部材と前記タブレット型電子機器の外フレームとの間に導音通路が形成され、前記導音通路の音出口が前記タブレット型電子機器の前方に向けられ、前記タブレット型電子機器から前記タブレット型電子機器のスクリーンに向けて音が発せられることを特徴とするタブレット型電子機器の導音保護カバーが提供される。
【０００７】
また、前記保護板は、周縁部に立設された複数の係合装置を有し、前記係合装置の頂端には、前記保護板の中央部に向かって僅かに曲げられたフック部が設けられ、前記タブレット型電子機器は、前記保護板に配置され、前記係合装置は、前記タブレット型電子機器の周縁部に係合されることが好ましい。
【０００８】
また、前記第１の導音部材は、前記タブレット型電子機器の背面外カバーに設けられた前記第１のスピーカー用出音孔から発せられた音を前記タブレット型電子機器の前記スクリーンへ案内し、前記第１の導音部材は、第１の反射板、第２の反射板及び側壁を有し、前記第２の反射板は、前記第１のスピーカー用出音孔の位置に対応するように配置され、前記第２の反射板と前記第１のスピーカー用出音孔との間に間隙が形成され、前記第２の反射板により前記第１のスピーカー用出音孔から発せられた音を前記第１の反射板へ反射させ、前記第１の反射板により音をユーザへ反射させることが好ましい。
【０００９】
また、前記第２の反射板は、前記保護板と一体成形され、前記保護板は、第１の表面を有し、前記第１の表面は、前記タブレット型電子機器の前記背面外カバーに対向し、前記第１の表面には、前記第１のスピーカー用出音孔の位置に対応するように凹部が設けられ、前記凹部の底面により前記第２の反射板を構成し、前記第１の反射板は、前記第２の反射板の縁部に立設され、前記タブレット型電子機器の側面外カバーに対して略平行であり、前記第１の反射板、前記第２の反射板及び前記側壁により、前記タブレット型電子機器の前記背面外カバーと前記側面外カバーとの間に前記導音通路が画成されることが好ましい。
【００１０】
また、前記第２の反射板は、平坦なプレート状で前記保護板の第２の表面と同一面に形成され、前記第２の表面は、前記第１の表面と表裏の関係で形成されることが好ましい。
【００１１】
また、前記第２の反射板は、前記第２の表面から突出されて形成され、前記第２の反射板と前記第１のスピーカー用出音孔との間に形成される第２の間隙が大きいことが好ましい。
【００１２】
また、前記第２の反射板は、断面が弧状のプレート部材であり、前記弧状の開口方向は、前記第１のスピーカー用出音孔に向けられた方向であることが好ましい。
【００１３】
また、前記第１の反射板と前記第２の反射板とが接続され、前記第１の反射板と前記第２の反射板とにより構成される断面形状が略放物線又は略楕円形を呈することが好ましい。
【００１４】
また、前記保護板には、前記タブレット型電子機器の前記第１のスピーカー用出音孔の位置に対応するように切欠き部が設けられ、前記切欠き部の互いに対向した２つの対向側壁には、それぞれ溝部が設けられ、前記第１の導音部材は、第２の反射板を有し、前記第２の反射板の互いに対応した両側にはリブが設けられ、前記リブは、前記溝部にちょうど滑り込ませることが可能であり、前記第１の導音部材は、前記保護板と自在に着脱可能であることが好ましい。
【発明の効果】
【００１５】
本発明のタブレット型電子機器の導音保護カバーは、導音部材によりタブレット型電子機器の音をユーザへ向けて案内し、タブレット型電子機器の音質を高めることができる。
【図面の簡単な説明】
【００１６】
【図１】本発明の一実施形態に係るタブレット型電子機器の導音保護カバーを示す斜視図である。
【図２】図１の第１の導音部材を示す部分拡大図である。
【図３】本発明の一実施形態に係る導音保護カバーをタブレット型電子機器へ取り付けたときの導音部材を示す断面図である。
【図４】本発明の一実施形態に係る導音保護カバーをタブレット型電子機器へ取り付けたときの導音部材を示す断面図である。
【図５】本発明の一実施形態に係る導音部材の第２の反射板を示す断面図である。
【図６】本発明の一実施形態に係る導音部材の第２の反射板を示す断面図である。
【図７】本発明の一実施形態に係る導音部材の第１の反射板及び第２の反射板を示す他の断面図である。
【図８】本発明の他の実施形態に係るタブレット型電子機器の背面外カバーに２つのスピーカー用出音孔が設けられたときの状態を示す斜視図である。
【図９】本発明の他の実施形態に係るタブレット型電子機器の側面外カバーに２つのスピーカー用出音孔が設けられたときの状態を示す斜視図である。
【図１０】本発明の他の実施形態に係る第１の反射板及びタブレット型電子機器の側面外カバーに設けられたスピーカー用出音孔を示す他の断面図である。
【図１１】本発明の他の実施形態に係るタブレット型電子機器の導音部材と保護プレートとを分離したときの状態を示す斜視図である。
【図１２】図１１の導音部材の細部構造を示す部分拡大図である。
【発明を実施するための形態】
【００１７】
図１を参照する。図１に示すように、本発明の一実施形態に係るタブレット型電子機器の導音保護カバーは、保護板１０及び第１の導音部材３０を含む。
【００１８】
保護板１０は、プレート形状を有し、周縁部に複数の係合装置１１が立設されている。係合装置１１の頂端には、保護板１０の中央部に向かって僅かに曲げられたフック部１１０が設けられている。タブレット型電子機器２０は、保護板１０に配置される。係合装置１１は、タブレット型電子機器２０の周縁部に係合される。保護板１０は、これら係合装置１１によりタブレット型電子機器２０の背面外カバー２１に当接される。
【００１９】
第１の導音部材３０は、タブレット型電子機器２０の第１のスピーカー用出音孔２２の位置に対応するように保護板１０に配置され、第１のスピーカー用出音孔２２との間に第１の間隙Ｇ１が形成され（図３参照）、第１の導音部材３０とタブレット型電子機器２０の外フレームとの間に導音通路４０が形成されている。この導音通路４０の音出口４１は、タブレット型電子機器２０の前方に向けられているため、タブレット型電子機器２０からユーザに向けて音を案内することができる。
【００２０】
図３に示すように、第１の導音部材３０は、タブレット型電子機器２０の背面外カバー２１に設けられた第１のスピーカー用出音孔２２から発せられた音をユーザに向けて案内するために用いる。第１の導音部材３０は、第１の反射板３１、第２の反射板３２及び側壁３３を有する。第２の反射板３２は、第１のスピーカー用出音孔２２の位置に対応するように配置され、第２の反射板３２と第１のスピーカー用出音孔２２との間に間隙が設けられている。第２の反射板３２は、第１のスピーカー用出音孔２２の音を第１の反射板３１へ反射させ、第１の反射板３１は、第２の反射板３２から反射した音をユーザへ反射させるために用いる。
【００２１】
本実施形態において、第１の導音部材３０は、保護板１０と一体成形され、図２に示すように、保護板１０の第１の表面１２がタブレット型電子機器２０の背面外カバー２１に対向し、第１の表面１２には、第１のスピーカー用出音孔２２の位置に対応するように凹部が設けられ、この凹部の底面が第１の導音部材３０の第２の反射板３２を構成する。第１の反射板３１は、第２の反射板３２の縁部に立設され、タブレット型電子機器２０の側面外カバー２３に対して略平行であり、タブレット型電子機器２０が保護板１０に取り付けられると、係合装置１１にはちょうどタブレット型電子機器２０の側面外カバー２３と保護板１０の縁部との間の距離ｄ（図３参照）が残されるため、第１の導音部材３０の第１の反射板３１、第２の反射板３２及び側壁３３は、タブレット型電子機器２０の背面外カバー２１と側面外カバー２３との間に導音通路４０が画成される。タブレット型電子機器２０の第１のスピーカー用出音孔２２が側面外カバー２３に位置するため（図４参照）、第１の反射板３１及び第２の反射板３２の反射作用により、第１のスピーカー用出音孔２２の音をユーザへ案内する。
【００２２】
図３に示すように、本実施形態に係る第２の反射板３２は、平坦なプレート状であり、保護板１０の第２の表面１３と同一面になっている（第２の表面１３は、第１の表面１２と表裏の関係にある）。図５に示すように、他の実施形態に係る第２の反射板３２は、同様に平坦なプレート状であるが、保護板１０の第２の表面１３から突出されているため、第２の反射板３２と第１のスピーカー用出音孔２２との間に形成される第２の間隙Ｇ２が大きく、音の反射共鳴効果を高めることができる。
【００２３】
図６に示すように、他の実施形態に係る第２の反射板３２は、断面が弧状のプレート部材で構成され、弧状の開口方向が第１のスピーカー用出音孔２２に向けられた方向である。図７に示すように、他の実施形態に係る第１の導音部材３０は、第１の反射板３１と第２の反射板３２とが接続され、その断面形状は略放物線又は略楕円形を呈し、前述の図３の実施例と比べ、導音通路４０の音出口４１が大きい。
【００２４】
図８は、本発明の他の実施形態に係るタブレット型電子機器の背面外カバーに２つのスピーカー用出音孔が設けられた状態を示す斜視図である。タブレット型電子機器２０の背面外カバー２１には、２つのスピーカー用出音孔２２，２２ａが設けられている。保護板１０には、スピーカー用出音孔２２，２２ａの位置に対応するように２つの導音部材３０，３０ａがそれぞれ設けられ、同様に、タブレット型電子機器２０の２つのスピーカー用出音孔２２，２２ａが側面外カバー２３に位置する場合（図９参照）、２つの導音部材３０，３０ａによっても第１のスピーカー用出音孔２２，２２ａから発せられた音をユーザへ向けて案内することができる。
【００２５】
図１０は、本発明の他の実施形態に係るタブレット型電子機器の導音保護カバーの他の実施例の構造図であり、第３の導音部材３０ｂにより、タブレット型電子機器２０の側面外カバー２３に設けた第１のスピーカー用出音孔２２から発せられた音をユーザへ案内する。第１の導音部材３０は、第１の反射板３１を有する。第１の反射板３１は、第１のスピーカー用出音孔２２の位置に対応し、保護板１０の縁部において、側面外カバー２３に対して平行に延伸され、第１の反射板３１と第１のスピーカー用出音孔２２との間に第３の間隙Ｇ３が形成され、第１の反射板３１とタブレット型電子機器２０の側面外カバー２３との間に導音通路４０が形成され、第１の反射板３１により第１のスピーカー用出音孔２２から発せられた音を音出口４１へ反射させてユーザへ案内する。
【００２６】
図１１及び図１２に示すように、他の実施形態に係る第１の導音部材３０は、保護板１０と着脱可能であり、保護板１０には、タブレット型電子機器２０の第１のスピーカー用出音孔２２に対応するように切欠き部１４が設けられている。この切欠き部１４の互いに対向した２つの対向側壁１４１ａ，１４１ｂには、それぞれ溝部１４２ａ，１４２ｂが設けられている。第１の導音部材３０の第２の反射板３２の互いに対応した両側には、リブ３２１ａ，３２１ｂが設けられている。これらリブ３２１ａ，３２１ｂは、溝部１４２ａ，１４２ｂにちょうど滑り込ませることができるため、第１の導音部材３０は保護板１０と自在に着脱可能である。そのため、ユーザは必要に応じて第１の導音部材３０を保護板１０と着脱させることができる。
【００２７】
当該分野の技術を熟知するものが理解できるように、本発明の好適な実施形態を前述の通り開示したが、これらは本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００２８】
１０  保護板
１１  係合装置
１２  第１の表面
１３  第２の表面
１４  切欠き部
２０  タブレット型電子機器
２１  背面外カバー
２２  第１のスピーカー用出音孔
２２ａ  第２のスピーカー用出音孔
２３  側面外カバー
３０  第１の導音部材
３０ａ  第２の導音部材
３０ｂ  第３の導音部材
３１  第１の反射板
３２  第２の反射板
３３  側壁
４０  導音通路
４１  音出口
１１０  フック部
１４１ａ  第１の対向側壁
１４１ｂ  第２の対向側壁
１４２ａ  第１の溝部
１４２ｂ  第２の溝部
３２１ａ  第１のリブ
３２１ｂ  第２のリブ
ｄ  側面外カバーと保護板縁部との距離
Ｇ１  第１の間隙
Ｇ２  第２の間隙
Ｇ３  第３の間隙
【図１】
2013016163.tif 000003
【図２】
2013016163.tif 000004
【図３】
2013016163.tif 000005
【図４】
2013016163.tif 000006
【図５】
2013016163.tif 000007
【図６】
2013016163.tif 000008
【図７】
2013016163.tif 000009
【図８】
2013016163.tif 000010
【図９】
2013016163.tif 000011
【図１０】
2013016163.tif 000012
【図１１】
2013016163.tif 000013
【図１２】
2013016163.tif 000014